(57)【要約】【課題】竪樋が熱伸縮しても、雨水を確実に排出することができる雨樋構造を提供すること【解決手段】軒先１２に設けられた軒樋１４内の雨水をこの軒樋１４の下方に案内するための竪樋１６と、この竪樋１６の下端部１６ｂと地中に埋設された排水管１５とを接続するための接続管カバー２１と、この接続管カバー２１内に設けられ、竪樋１６の下端部１６ｂから流出する雨水を受け、且つ受けた雨水により竪樋１６の下端部１６ｂを閉鎖するための上部開口３１ａを有する有底筒状の水封部材３０とを備え、竪樋１６の下端部１６ｂが水封部材３０の上部開口３１ａよりも下方に挿入されている雨樋構造１０であって、竪樋１６と水封部材３０との間には、雨水の流れを阻害せずに、竪樋１６の流出口（下端開口）１６ｃと水封部材３０の底面３１ｂとの距離を規制する位置規制部材４０が配置されている。【選択図】  図１
2009057730.tif 000002
【特許請求の範囲】
【請求項１】
軒先に設けられた軒樋内の雨水をこの軒樋の下方に案内するための竪樋と、該竪樋の下端部と地中に埋設された排水管とを接続する排水管カバーと、該排水管カバー内に設けられ、前記竪樋の下端開口から流出する雨水を受け、且つ受けた雨水により前記下端開口を閉鎖するための上部開口を有した有底筒状の水封部材とを備え、前記竪樋の下端開口が前記水封部材の上部開口よりも下方に位置するように前記竪樋の下端部が前記水封部材内に挿入されている雨樋構造であって、
前記竪樋と前記水封部材との間には、雨水の流れを阻害せずに、前記竪樋の下端開口と前記水封部材の底面との距離を規制する位置規制部材が配置されていることを特徴とする雨樋構造。
【請求項２】
前記位置規制部材は、前記水封部材の底面から立ち上がって前記竪樋の下端開口の周縁に当接すると共に、前記竪樋から流出した雨水が通過可能な間隙を前記下端開口との間に有していることを特徴とする請求項１に記載の雨樋構造。
【請求項３】
前記位置規制部材は、前記下端開口の径よりも大きい長さを有する矩形状のリブ形状を呈していることを特徴とする請求項２に記載の雨樋構造。
【請求項４】
前記位置規制部材は、前記竪樋の周面から外方に突出して前記水封部材の上部開口の周縁に当接すると共に、前記水封部材から溢れた雨水が通過可能な間隙を前記上部開口との間に有していることを特徴とする請求項１に記載の雨樋構造。
【請求項５】
前記位置規制部材は、前記竪樋の周面から突出した環状のリブ形状を呈していると共に、多数の通水穴が設けられていることを特徴とする請求項４に記載の雨樋構造。
【請求項６】
前記位置規制部材は、前記竪樋の周面から突出した複数の棒形状を呈していることを特徴とする請求項４に記載の雨樋構造。
【発明の詳細な説明】
【技術分野】
【０００１】
本発明は、住宅のような建物に設けられるサイフォン式の雨樋構造に関するものである。
【背景技術】
【０００２】
一般的に、例えば住宅の軒先には、屋根から流れ落ちる雨水を受けるための軒樋が設けられている。そして、軒樋内に流入した雨水は、軒樋に接続された竪樋内に流入し、この竪樋内を通って地中に埋設されている排水管に流入するようになっている。
【０００３】
従来、排水管への単位時間当たりの排水量を増加させるために、いわゆるサイフォンの原理を利用した雨樋装置が知られている（例えば、特許文献１参照）。
【０００４】
この雨樋装置では、竪樋の下端部は排水管カバーを介して地中に設けられた排水管と接続されており、この排水管カバー内には、竪樋の下端開口から流出する雨水を受ける水封部材が配置されている。
【０００５】
この水封部材は、上方が開口した有底筒形状を呈しており、排水管カバーとの間に隙間が保持された状態で排水管カバー内に固定されている。
【０００６】
そして、竪樋の下端部は、その下端開口である流出口が水封部材内に貯留される雨水の最高水位よりも低くなるように水封部材の開口水平面より下方に挿入されている。
【０００７】
これにより、竪樋の流出口から水封部材内に流入した雨水は、水封部材内から溢れ出した後に、この水封部材と排水管カバーとの間の環状隙間を通って排水管内に排出される。
【０００８】
また、水封部材内の水位が竪樋の流出口の位置に達すると、竪樋の流出口が水封部材内の雨水により閉鎖される。このため、軒樋から竪樋内に流入した大量の雨水が竪樋内に溜まって、この竪樋内の雨水の水位がある高さを超えるか、あるいは竪樋内が雨水にて満水状態になったとき、軒樋内の雨水が竪樋内に溜まった雨水の自重によって強制的に引っ張られる。このようなサイフォン現象が生じることにより、自然落下するときの流速よりも速い速度で軒樋内の雨水を竪樋内に流入させることができる。そのため、雨水を自然落下させることで排水管に排出する場合に比べて、単位時間当たりの排水量を増加させることができる。
【特許文献１】特開２００５−３３０６６６号公報
【発明の開示】
【発明が解決しようとする課題】
【０００９】
ところで、上述の雨樋装置では、竪樋の下端部が水封部材と一体的に固定されることなく、水封部材内に単に挿入されているため、竪樋が例えばポリ塩化ビニルのように熱伸縮性を有する合成樹脂からなる場合、気温の変動等によって竪樋が軸線方向に伸縮して、竪樋の下端と水封部材の底面との相対位置が変化する。このため、竪樋の下端部の流出口が水封部材の底面に当接して閉鎖されてしまうおそれがあった。
【００１０】
そして、竪樋の流出口が閉鎖されると、竪樋から雨水を流出させることができないため、雨水を排水管に排出することができず、軒樋に流入した雨水がこの軒樋からあふれてしまうことが考えられる。
【００１１】
そこで、本発明の目的は、竪樋が熱伸縮しても、雨水を確実に排出することができる雨樋構造を提供することにある。
【課題を解決するための手段】
【００１２】
上記課題を解決するために、請求項１に記載の発明は、軒先に設けられた軒樋内の雨水をこの軒樋の下方に案内するための竪樋と、該竪樋の下端部と地中に埋設された排水管とを接続する排水管カバーと、該排水管カバー内に設けられ、前記竪樋の下端開口から流出する雨水を受け、且つ受けた雨水により前記下端開口を閉鎖するための上部開口を有した有底筒状の水封部材とを備え、前記竪樋の下端開口が前記水封部材の上部開口よりも下方に位置するように前記竪樋の下端部が前記水封部材内に挿入されている雨樋構造であって、前記竪樋と前記水封部材との間には、雨水の流れを阻害せずに、前記竪樋の下端開口と前記水封部材の底面との距離を規制する位置規制部材が配置されていることを特徴とする。
【００１３】
請求項２に記載の発明は、請求項１に記載の発明において、前記位置規制部材は、前記水封部材の底面から立ち上がって前記竪樋の下端開口の周縁に当接すると共に、前記竪樋から流出した雨水が通過可能な間隙を前記下端開口との間に有していることを特徴とする。
【００１４】
請求項３に記載の発明は、請求項２に記載の発明において、前記位置規制部材は、前記下端開口の径よりも大きい長さを有する矩形状のリブ形状を呈していることを特徴とする。
【００１５】
請求項４に記載の発明は、請求項１に記載の発明において、前記位置規制部材は、前記竪樋の周面から外方に突出して前記水封部材の上部開口の周縁に当接すると共に、前記水封部材から溢れた雨水が通過可能な間隙を前記上部開口との間に有していることを特徴とする。
【００１６】
請求項５に記載の発明は、請求項４に記載の発明において、前記位置規制部材は、前記竪樋の周面から突出した環状のリブ形状を呈していると共に、多数の通水穴が設けられていることを特徴とする。
【００１７】
請求項６に記載の発明は、請求項４に記載の発明において、前記位置規制部材は、前記竪樋の周面から突出した複数の棒形状を呈していることを特徴とする。
【発明の効果】
【００１８】
請求項１に記載の発明によれば、位置規制部材によって雨水の流れが阻害されることなく竪樋の下端開口と水封部材の底面との距離が一定に保たれるので、竪樋が熱伸縮した場合であっても、竪樋の下端開口が水封部材の底面に当接して閉鎖されることがなく、竪樋内の雨水を確実に排出することが可能となる。
【００１９】
請求項２に記載の発明によれば、位置規制部材が水封部材の底面と竪樋の下端開口との間に配置されるので、竪樋の形状を変更することなく竪樋と水封部材との間の距離を保持することができる。
【００２０】
請求項３に記載の発明によれば、位置規制部材が矩形状のリブ形状を呈しているので、簡易な構成となり、製造コストを抑制することが可能となる。
【００２１】
請求項４に記載の発明によれば、位置規制部材が竪樋に設けられているので、水封部材の形状を変更することなく竪樋と水封部材との間の距離を保持することができる。
【００２２】
請求項５に記載の発明によれば、位置規制部材が竪樋の周面から突出する環状のリブ形状を呈しているので、簡易な構成となり、製造コストを抑制することが可能となる。
【００２３】
請求項６に記載の発明によれば、位置規制部材が竪樋の周面から突出する棒形状を呈しているので、簡易な構成となり、製造コストを抑制することが可能となる。
【発明を実施するための最良の形態】
【００２４】
本発明を図示の実施例に沿って説明する。
【実施例１】
【００２５】
本発明の実施例１に係る雨樋構造１０は、図１に示すように、住宅１１の軒先１２に沿って設けられ、屋根１３から流れ落ちる雨水を受ける軒樋１４と、雨水を地中に埋設された排水管１５に案内するための竪樋１６と、この竪樋１６の下端部１６ｂと地中に埋設された排水管１５とを接続するための排水管カバー２１と、この排水管カバー２１内に設けられ、竪樋１６の流出口１６ｃから流出する雨水を受け、且つ受けた雨水により流出口１６ｃを水封するための水封部材３０とを備えている。
【００２６】
竪樋１６は、例えばポリ塩化ビニルのように熱伸縮性を有する樹脂材料で形成された長尺円筒状の筒部材からなり、住宅１１の外壁１１ａに沿って上下方向に伸びるように配置されている。なお、竪樋１６は、外壁１１ａ内に配置することも可能である。
【００２７】
そして、竪樋１６の上端部１６ａは、図示の例では従来と同様に、呼び樋１９の他端部１９ｂにエルボ継手２０を介して接続されている。この呼び樋１９は、一端部１９ａがエルボ継手１７及び排水ドレン１８を順次介して軒樋１４に接続されている。
【００２８】
排水管カバー２１は、カバー本体２２と、このカバー本体２２の上端開口に装着される円板状の蓋部材２３とを有している。
【００２９】
カバー本体２２は、両端が開放した円筒形状を呈しており、その下端部に排水管１５の上端部１５ａと接着接合される受け口２２ａが形成され、上端部２２ｂに装着された蓋部材２３のほぼ中央に竪樋１６を受け入れる挿通孔２３ａが形成されている。また、カバー本体２２の上端部２２ｂ側の内周面には、環状突起２２ｃが一体に形成されている（図４参照）。
【００３０】
そして、カバー本体２２の受け口２２ａの内径は排水管１５の上端部１５ａの外径とほぼ等しくされており、上端部２２ｂは後述する水封部材３０が挿入可能な内径を有し、環状突起２２ｃは、水封部材３０が挿入可能であって、この水封部材３０の後述する支持腕３２が当接可能な内径を有している。
【００３１】
蓋部材２３の周縁部にはリブ２３ｂが立設され、カバー本体２２の上端部２２ｂがリブ２３ｂの内側に嵌合するようになっている。
【００３２】
水封部材３０は、図２に示すように、上部開口３１ａを有する有底筒状の水封本体３１と、上部開口３１ａの周縁部から外方に突出した複数の支持腕３２とを有している。
【００３３】
水封本体３１は、カバー本体２２の環状突起２２ｃの内径よりも小さく、竪樋１６の外径よりも大きい径の円筒形状を呈しており、竪樋１６の下端部１６ｂが挿入された状態でカバー本体２２の内部に配置可能となっている（図４参照）。
【００３４】
そして、カバー本体２２内に配置した際に、支持腕３２が環状突起２２ｃと当接し、水封部材３０は排水管カバー２１の内側に保持されることとなる。なお、水封本体３１の上部開口３１ａの周縁部と、カバー本体２２の環状突起２２ｃの先端部との間には間隙Ｈが生じており、水封部材３０からあふれた雨水が通過可能となっている（図４参照）。
【００３５】
竪樋１６は、その下端部１６ｂが蓋部材２３の挿通孔２３ａを経てカバー本体２２内及び水封本体３１内に挿入されることにより、排水管１５に対して相対移動可能に接続されている。
【００３６】
ここで、竪樋１６のカバー本体２２内への挿入量（挿入長さ）は、例えば気温の変化により竪樋１６が軸線方向に熱収縮したとしても、カバー本体２２の上端部２２ｂの開口水平面よりも竪樋１６の下端部１６ｂが上方に位置しない大きさに設定されている。すなわち、竪樋１６の熱収縮発生時に、カバー本体２２から竪樋１６が抜け出すことが防止されている。
【００３７】
さらに、竪樋１６の水封本体３１内への挿入量（挿入長さ）は、例えば気温の変化により竪樋１６が軸線方向に熱収縮したとしても、水封本体３１の上部開口３１ａの開口水平面よりも竪樋１６の下端部１６ｂが上方に位置しない大きさに設定されている。すなわち、竪樋１６の熱収縮発生時に、水封本体３１から竪樋１６が抜け出すことが防止されている。
【００３８】
また、挿通孔２３ａが蓋部材２３のほぼ中央に形成されていることから、竪樋１６がカバー本体２２内に挿入された状態では、竪樋１６の軸線とカバー本体２２の軸線とが互いにほぼ一致している。
【００３９】
さらに、本発明に係る雨樋構造１０では、水封部材３０の底面３１ｂ上に、位置規制部材４０が配置されている。
【００４０】
位置規制部材４０は、図３（ａ）（ｂ）に示すように、矩形状の一対の板部材４１、４２が十文字に組み合わされて形成されている。このとき、各板部材４１、４２のそれぞれの中心に切欠４１ａ、４２ａが形成され、この切欠４１ａ、４２ａが互いにかみ合うことで組み立てられている。また、各板部材４１、４２の長さは、それぞれ竪樋１６の流出口１６ｃの径よりも大きい長さとなっている。
【００４１】
そして、この位置規制部材４０が、水封部材３０の底面３１ｂ上に配置されることにより、水封部材３０の底面３１ｂから立ち上がる矩形状のリブ形状を呈することとなる。
【００４２】
さらに、このように配置された位置規制部材４０の上面には、竪樋１６の下端部１６ｂの下端開口である流出口１６ｃが当接する（図２参照）。
【００４３】
これにより、竪樋１６の流出口１６ｃと水封部材３０の底面３１ｂとの距離が規制され、例えば気温の変化により竪樋１６が熱伸縮したとしても、位置規制部材４０によって竪樋１６の流出口１６ｃと水封部材３０の底面３１ｂとの相対位置は変化しない。
【００４４】
また、位置規制部材４０が一対の板部材４１、４２を十文字に組み合わせることで形成されているため、この位置規制部材４０と流出口１６ｃとの間には、図２に示すように、竪樋１６から流出した雨水が通過可能な間隙Ｋが生じることとなる。
【００４５】
次に、本発明の雨樋構造１０の作用について説明する。
【００４６】
住宅１１の屋根１３に沿って流れ落ちた雨水は、軒先１２に設けられた軒樋１４から排水ドレン１８、エルボ継手１７、呼び樋１９、エルボ継手２０を経て竪樋１６内に流入する。そして、この雨水は竪樋１６を流下し、図４において矢印で示すように、竪樋１６の下端部１６ｂの流出口１６ｃから水封部材３０の水封本体３１内に流入する。
【００４７】
このとき、流出口１６ｃと水封部材３０の底面３１ｂとの間には位置規制部材４０が配置されているが、この位置規制部材４０と流出口１６ｃとの間には間隙Ｋがあいている。
【００４８】
これにより、竪樋１６から流出する雨水は、この間隙Ｋを通過して水封本体３１内に円滑に流入することができる。
【００４９】
そして、水封本体３１内に流入した雨水は、水封本体３１を満たした後に上部開口３１ａからあふれ出し、排水管カバー２１内に流出する。
【００５０】
なお、水封部材３０の上部開口３１ａの周縁部と、カバー本体２２の環状突起２２ｃの先端部との間には間隙Ｈが生じており、水封部材３０からあふれた雨水は、この間隙Ｈを通過することで排水管カバー２１内に円滑に流入することができる。
【００５１】
またここで、竪樋１６の下端部１６ｂの流出口１６ｃが水封部材３０の上部開口３１ａの開口水平面よりも下方に位置しているので、水封本体３１を満たした雨水によって竪樋１６の下端部１６ｂが閉鎖されることとなる。
【００５２】
一方、排水管カバー２２内に流出した雨水は、排水管カバー２２の受け口２２ａから排水管１５に排出されるようになっている。
【００５３】
そして、軒樋１４から竪樋１６に大量の雨水が流入した場合のように、水封部材３０への単位時間当たりの流入量が水封部材３０からの単位時間当たりの流出量よりも多い場合、竪樋１６から水封部材３０に流入した雨水の大部分は、水封部材３０から溢れ出すことなく竪樋１６内に溜まり、さらに呼び樋１９及び各エルボ継手１７、２０内に溜まる。これにより、竪樋１６、呼び樋１９及び各エルボ継手１７、２０内がそれぞれ満水状態になったとき、それらの内部に溜まった雨水によって軒樋１４内の雨水が下方に引っ張られる。このような所謂サイフォン現象が生じることにより、軒樋１４内の雨水は、自然落下するときよりも速い流速で竪樋１６内を流下することができる。
【００５４】
また、例えば気温の変動により、竪樋１６がその軸線方向に熱伸縮し、下端部１６ｂの位置が変化したとしても、竪樋１６の流出口１６ｃと水封部材３０の底面３１ｂとの距離は、位置規制部材４０によって規制される。
【００５５】
すなわち、竪樋１６の下端部１６ｂが位置規制部材４０に当接し、それ以上下方に移動することがない。
【００５６】
これにより、竪樋１６が伸縮したとしても、この竪樋１６の下端部１６ｂが水封部材３０の底面３１ｂに当接することはなく、竪樋１６の下端部１６ｂの流出口１６ｃが水封部材３０の底面３１ｂよって塞がれることはない。
【００５７】
したがって、竪樋１６が熱伸縮した場合であっても、軒樋１４から竪樋１６内に流入した雨水を竪樋１６から排水管１５に水封部材３０を介して確実に排出することができる。
【００５８】
また、この実施例１では、位置規制部材４０が流出口１６ｃの径よりも大きい長さを有する矩形状のリブ形状を呈しているので、位置規制部材４０が簡易な構成となり、製造コストを抑制することが可能となる。
【００５９】
さらに、この実施例１では、位置規制部材４０が水封部材３０の底面３１ｂ上に配置されているので、竪樋１６の形状を変更することなく、容易に竪樋１６と水封部材３０との距離を保持することができる。
【実施例２】
【００６０】
本発明の実施例２に係る雨樋構造では、図５に示すように、位置規制部材５０が竪樋１６の下端部１６ｂに設けられている。なお、その他の構成は実施例１と同様であるため、以下要部について説明する。
【００６１】
この実施例２に係る位置規制部材５０は、竪樋１６の外周面に接着固定された円板状の規制部本体５１と、この規制部本体５１に設けられた多数の通水穴５２とを有している。
【００６２】
そして、竪樋１６の下端部１６ｂが水封部材３０の水封本体３１内に挿入されると、水封本体３１の上部開口３１ａの周縁部に規制部本体５１が当接するようになっている。
【００６３】
これにより、竪樋１６の挿入量（挿入長さ）が規制され、例えば気温の変動により竪樋１６が熱伸縮したとしても、竪樋１６の流出口１６ｃと水封部材３０の底面３１ｂとの距離は規制される。
【００６４】
そして、この竪樋１６の下端部１６ｂが水封部材３０の底面３１ｂに当接することはなく、竪樋１６の下端部１６ｂの流出口１６ｃが水封部材３０の底面３１ｂよって塞がれることはない。
【００６５】
したがって、竪樋１６が熱伸縮した場合であっても、軒樋１４から竪樋１６内に流入した雨水を竪樋１６から排水管１５に水封部材３０を介して確実に排出することができる。
【００６６】
また、水封部材３０内に貯留した雨水は、通水穴５２を通過して水封部材３０からあふれ出ることが可能であるので、竪樋１６から流出される雨水を円滑に排出することができる。
【００６７】
そして、このように位置規制部材５０が竪樋１６に設けられているので、水封部材３０の形状を変更することなく、容易に竪樋１６と水封部材３０との距離を保持することができる。
【００６８】
さらに、位置規制部材５０を竪樋１６の外周面の所定箇所に例えば接着材を用いて接着固定するだけでよく、簡易な構成となり、製造コストを抑制することが可能となる。
【００６９】
また、竪樋１６から突出した位置規制部材５５は、図６に示すようなものであってもよい。この図６に示す位置規制部材５５は、竪樋１６の外周面から十字状に突出する棒形状を呈する複数の規制部本体５６を有している。
【００７０】
そして、竪樋１６の下端部１６ｂが水封部材３０の水封本体３１内に挿入されると、水封本体３１の上部開口３１ａの周縁部に複数の規制部本体５６のそれぞれの先端が当接するようになっている。
【００７１】
これにより、竪樋１６の挿入量（挿入長さ）が規制され、例えば気温の変動により竪樋１６が熱伸縮したとしても、竪樋１６の流出口１６ｃと水封部材３０の底面３１ｂとの距離は規制される。
【００７２】
そして、この竪樋１６の下端部１６ｂが水封部材３０の底面３１ｂに当接することはなく、竪樋１６の下端部１６ｂの流出口１６ｃが水封部材３０の底面３１ｂよって塞がれることはない。
【００７３】
したがって、竪樋１６が熱伸縮した場合であっても、軒樋１４から竪樋１６内に流入した雨水を竪樋１６から排水管１５に水封部材３０を介して確実に排出することができる。
【００７４】
また、水封部材３０内に貯留した雨水は、棒形状の規制部本体５６の間を通って水封部材３０からあふれ出ることが可能であるので、竪樋１６から流出される雨水を円滑に排出することができる。
【００７５】
さらに、位置規制部材５５が竪樋１６の外周面から突出する棒形状を呈しているので、簡易な構成となり、製造コストを抑制することが可能となる。
【００７６】
以上説明したように、本発明の雨樋構造１０では、竪樋１６と水封部材３０との間に、雨水の流れを阻害することなく、この竪樋１６の流出口１６ｃと水封部材３０の底面３１ｂとの距離を規制する位置規制部材４０が配置されている。
【００７７】
そのため、竪樋１６が熱伸縮した場合であっても、竪樋１６の流出口１６ｃが水封部材３０の底面３１ｂに当接することが防止され、雨水を確実に排出することができる。
【００７８】
なお、本実施例では、本発明に係る雨樋構造１０を住宅１１に適用した例を示したが、これに代えて、住宅１１以外の建物に本発明を適用することができる。
【図面の簡単な説明】
【００７９】
【図１】本発明の実施例１に係る雨樋構造を概略的に示す側面図である。
【図２】本発明の実施例１に係る雨樋構造の要部を示した一部破断斜視図である。
【図３】（ａ）は本発明の実施例１に係る位置規制部材を示した斜視図であり、（ｂ）は図３（ａ）に示す位置規制部材の分解斜視図である。
【図４】本発明に係る雨樋構造の要部を拡大した断面図である。
【図５】本発明の実施例２に係る雨樋構造の要部を示した斜視図である。
【図６】本発明実施例２に係る雨樋構造の他の例を示した斜視図である。
【符号の説明】
【００８０】
１０      雨樋構造
１２      軒先
１４      軒樋
１５      排水管
１６      竪樋
１６ｂ    下端部
１６ｃ    流出口（下端開口）
２１      排水管カバー
３０      水封部材
３１ａ    上部開口
３１ｂ    底面
４０      位置規制部材
【図１】
2009057730.tif 000003
【図２】
2009057730.tif 000004
【図３】
2009057730.tif 000005
【図４】
2009057730.tif 000006
【図５】
2009057730.tif 000007
【図６】
2009057730.tif 000008